(57)【特許請求の範囲】
【請求項１】
基本単位バンドを含む複数の単位バンドを用いた基地局装置との第１の通信又は前記基本単位バンドのみを用いた前記基地局装置との第２の通信において、少なくとも一つの前記単位バンドの制御チャネルで送信された割当制御情報とデータチャネルで送信されたデータと、を受信する受信部と、
前記第２の通信の場合、前記基本単位バンドの前記データの受信成否を示す１つの応答信号を生成し、前記第１の通信の場合、前記複数の単位バンドのそれぞれの前記割当制御情報及び前記データの受信成否を示す２つの応答信号を生成する生成部と、
前記第２の通信の場合、第１の系列を前記１つの応答信号に乗算し、前記第１の通信の場合、前記第１の系列を分割した第２の系列及び第３の系列を、前記２つの応答信号にそれぞれ乗算する系列乗算部と、を具備し、
前記割当制御情報及び前記データの受信成否は、前記応答信号の位相点で示され、前記第２の通信において、前記基本単位バンドに対する前記受信成否を示す前記１つの応答信号の位相点と、前記第１の通信において、前記第２の通信における前記基本単位バンドに対する前記受信成否と同じ、前記基本単位バンドに対する前記受信成否と、前記基本単位バンド以外の単位バンドで前記割当制御情報を受信しなかった状態である前記受信成否を示す前記２つの応答信号のそれぞれの位相点と、が同一である、
端末装置。
【請求項２】
Ｍ（ただしＭは２以上の自然数）個の単位バンドを用いる前記第１の通信において、前記Ｍ個の単位バンドのそれぞれに対する前記受信成否を示す前記２つの応答信号の位相点のペアと、前記Ｍよりも大きいＮ（ただしＮは自然数）個の単位バンドを用いる前記第１の通信において、前記Ｍ個の単位バンドを用いる前記第１の通信における前記Ｍ個の単位バンドのそれぞれに対する前記受信成否と同じ、前記Ｍ個の単位バンドと同一の単位バンドのそれぞれに対する前記受信成否と、前記Ｍ個の単位バンド以外の（Ｎ−Ｍ）個の全ての単位バンドで前記割当制御情報を受信しなかった状態である前記受信成否を示す前記２つの応答信号の位相点のペアと、が同一である、
請求項１記載の端末装置。
【請求項３】
基本単位バンドを含む複数の単位バンドを用いた基地局装置との第１の通信又は前記基本単位バンドのみを用いた前記基地局装置との第２の通信において、
少なくとも一つの前記単位バンドの制御チャネルで送信された割当制御情報と、データチャネルで送信されたデータと、を受信し、
前記第２の通信の場合、前記基本単位バンドの前記データの受信成否を示す１つの応答信号を生成し、前記第１の通信の場合、前記複数の単位バンドのそれぞれの前記割当制御情報及び前記データの受信成否を示す２つの応答信号を生成し、
前記第２の通信の場合、第１の系列を前記１つの応答信号に乗算し、前記第１の通信の場合、前記第１の系列を分割した第２の系列及び第３の系列を、前記２つの応答信号にそれぞれ乗算し、
前記割当制御情報及び前記データの受信成否は、前記応答信号の位相点で示され、前記第２の通信において、前記基本単位バンドに対する前記受信成否を示す前記１つの応答信号の位相点と、前記第１の通信において、前記第２の通信における前記基本単位バンドに対する前記受信成否と同じ、前記基本単位バンドに対する前記受信成否と、前記基本単位バンド以外の単位バンドで前記割当制御情報を受信しなかった状態である前記受信成否を示す前記２つの応答信号のそれぞれの位相点と、が同一である、
応答信号送信方法。
【発明の詳細な説明】
【技術分野】
【０００１】
本発明は、端末装置及び応答信号送信方法に関する。
【背景技術】
【０００２】
３ＧＰＰ  ＬＴＥでは、下り回線の通信方式としてＯＦＤＭＡ（Orthogonal Frequency Division Multiple Access）が採用されている。３ＧＰＰ  ＬＴＥが適用された無線通信システムでは、基地局装置（以下「基地局」と略記する）が予め定められた通信リソースを用いて同期信号（Synchronization Channel：ＳＣＨ）及び報知信号（Broadcast Channel：ＢＣＨ）を送信する。そして、端末装置（以下「端末」と略記する）は、まず、ＳＣＨを捕まえることによって基地局との同期を確保する。その後、端末は、ＢＣＨ情報を読むことにより基地局独自のパラメータ（例えば、周波数帯域幅など）を取得する（非特許文献１、２、３参照）。【０００３】
また、端末は、基地局独自のパラメータの取得が完了した後、基地局に対して接続要求を行うことにより、基地局との通信を確立する。基地局は、通信が確立された端末に対して、必要に応じてＰＤＣＣＨ（Physical Downlink Control CHannel）を介して制御情報を送信する。【０００４】
そして、端末は、受信したＰＤＣＣＨ信号に含まれる複数の制御情報をそれぞれ「ブラインド判定」する。すなわち、制御情報は、ＣＲＣ（Cyclic Redundancy Check）部分を含み、このＣＲＣ部分は、基地局において、送信対象端末の端末ＩＤによってマスクされる。従って、端末は、受信した制御情報のＣＲＣ部分を自装置の端末ＩＤでデマスクしてみるまでは、自装置宛の制御情報であるか否かを判定できない。このブラインド判定では、デマスクした結果、ＣＲＣ演算がＯＫとなれば、その制御情報が自装置宛であると判定される。【０００５】
また、３ＧＰＰ  ＬＴＥでは、基地局から端末への下り回線データに対してＡＲＱ（Automatic Repeat Request）が適用される。つまり、端末は下り回線データの誤り検出結果を示す応答信号を基地局へフィードバックする。端末は下り回線データに対しＣＲＣを行って、ＣＲＣ＝ＯＫ（誤り無し）であればＡＣＫ（Acknowledgment）を、ＣＲＣ＝ＮＧ（誤り有り）であればＮＡＣＫ（Negative Acknowledgment）を応答信号として基地局へフィードバックする。ただし、この応答信号（つまり、ＡＣＫ／ＮＡＣＫ信号）の変調にはＢＰＳＫ（Binary Phase Shift Keying）が用いられている。また、この応答信号のフィードバックには、ＰＵＣＣＨ（Physical Uplink Control Channel）等の上り回線制御チャネルが用いられる。そして、受信した応答信号がＮＡＣＫを示す場合には、基地局は、端末に対して再送データを送信する。【０００６】
ここで、基地局から送信される上記制御情報（すなわち、下り割当制御情報）には、基地局が端末に対して割り当てたリソース情報等を含むリソース割当情報が含まれる。この制御情報の送信には、前述の通りＰＤＣＣＨが用いられる。このＰＤＣＣＨは、１つ又は複数のＬ１／Ｌ２ＣＣＨ（L1/L2 Control Channel）から構成される。各Ｌ１／Ｌ２ＣＣＨは、１つ又は複数のＣＣＥ（Control Channel Element）から構成される。すなわち、ＣＣＥは、制御情報をＰＤＣＣＨにマッピングするときの基本単位である。また、１つのＬ１／Ｌ２ＣＣＨが複数のＣＣＥから構成される場合には、そのＬ１／Ｌ２ＣＣＨには識別番号（Index）が連続する複数のＣＣＥが割り当てられる。基地局は、リソース割当対象端末に対する制御情報の通知に必要なＣＣＥ数に従って、そのリソース割当対象端末に対してＬ１／Ｌ２ＣＣＨを割り当てる。そして、基地局は、このＬ１／Ｌ２ＣＣＨのＣＣＥに対応する物理リソースにマッピングして制御情報を送信する。【０００７】
またここで、各ＣＣＥは、ＰＵＣＣＨの構成リソースと１対１に対応付けられている。従って、Ｌ１／Ｌ２ＣＣＨを受信した端末は、このＬ１／Ｌ２ＣＣＨを構成するＣＣＥに対応するＰＵＣＣＨの構成リソースを暗黙的（Implicit）に特定することができ、この特定されたリソースを用いて応答信号を基地局へ送信する。ただし、Ｌ１／Ｌ２ＣＣＨが連続する複数のＣＣＥを占有する場合には、端末は、複数のＣＣＥにそれぞれ対応する複数のＰＵＣＣＨ構成リソースのうち１つ（例えば、Ｉｎｄｅｘが最も小さいＣＣＥに対応するＰＵＣＣＨ構成リソース）を利用して、応答信号を基地局へ送信する。こうして下り回線の通信リソースが効率良く使用される。【０００８】
複数の端末から送信される複数の応答信号及び参照信号は、図１に示すように、時間軸上（Time domain）でZero Auto-correlation特性を持つＺＡＣ（Zero Auto-correlation）系列（Base sequenceと呼ばれることもある）、及び、ウォルシュ符号系列（Walsh code sequence）系列又はＤＦＴ（Discrete Fourier Transform）系列によって拡散され、ＰＵＣＣＨ内でコード多重されている（ただし、系列長１２のＺＡＣ系列そのものを参照信号系列（Reference sequence）と呼ぶこともある）。【０００９】
図１において（Ｗ０,Ｗ１,Ｗ２,Ｗ３）は系列長４のウォルシュ系列（ウォルシュ符号系列：Walsh Code Sequence）を表わし、（Ｆ０,Ｆ１,Ｆ２）は系列長３のＤＦＴ系列を表す。図１に示すように、端末では、ＡＣＫ又はＮＡＣＫの応答信号が、まず周波数軸上でＺＡＣ系列（系列長１２。Base Sequenceと称されることもある。）によって１ＳＣ−ＦＤＭＡシンボル内に１次拡散される。次いで１次拡散後の応答信号がＷ０〜Ｗ３それぞれに対応させられてＩＦＦＴ（Inverse Fast Fourier Transform）される。また、端末では、参照信号としての系列長１２のＺＡＣ系列がＦ０〜Ｆ２それぞれに対応させられてＩＦＦＴされる。このようにして、周波数軸上（Frequency domain）で系列長１２のＺＡＣ系列によって拡散された応答信号、及び参照信号は、ＩＦＦＴにより時間軸上の系列長１２のＺＡＣ系列に変換される。これは、１次拡散後の応答信号、及び参照信号がＩＦＦＴ後にさらにウォルシュ系列（系列長４）、ＤＦＴ系列（系列長３）を用いて２次拡散されることと等価である。【００１０】
異なる端末からの応答信号同士は、異なる巡回シフト量（Cyclic shift Index）に対応するＺＡＣ系列、または、異なる系列番号（Orthogonal cover Index : OC index）に対応する直交符号系列を用いて拡散されている。直交符号系列は、ウォルシュ系列とＤＦＴ系列との組である。また、直交符号系列はブロックワイズ拡散コード系列（Block-wise spreading code）と称されることもある。従って、基地局は、従来の逆拡散及び相関処理を用いることにより、これらコード多重された複数の応答信号を分離することができる（非特許文献４参照）。【００１１】
ただし、各端末は各サブフレーム（送信単位時間）において自装置宛の下り割当制御情報をブラインド判定するので、端末側では、必ずしも下り割当制御情報の受信が成功するとは限らない。端末が或る下り単位バンドにおける自装置宛の下り割当制御情報の受信に失敗した場合、端末は、当該下り単位バンドにおいて自装置宛の下り回線データが存在するか否かさえも知り得ない。従って、端末が或る下り単位バンドにおける下り割当制御情報の受信に失敗した場合、端末は、当該下り単位バンドにおける下り回線データに対する応答信号も生成しない。このエラーケースは、端末側で応答信号の送信が行われないという意味で、応答信号のＤＴＸ（DTX(Discontinuous transmission) of ACK/NACK signals）として定義されている。【００１２】
また、３ＧＰＰ  ＬＴＥよりも更なる通信の高速化を実現する３ＧＰＰ  ＬＴＥ−ａｄｖａｎｃｅｄの標準化が開始された。３ＧＰＰ  ＬＴＥ−ａｄｖａｎｃｅｄシステム（以下、「ＬＴＥ−Ａシステム」と呼ばれることがある）は、３ＧＰＰ  ＬＴＥシステム（以下、「ＬＴＥシステム」と呼ばれることがある）を踏襲する。３ＧＰＰ  ＬＴＥ−ａｄｖａｎｃｅｄでは、最大１Ｇｂｐｓ以上の下り伝送速度を実現するために、４０ＭＨｚ以上の広帯域周波数で通信可能な基地局及び端末が導入される見込みである。【００１３】
ＬＴＥ−Ａシステムにおいては、ＬＴＥシステムにおける伝送速度の数倍もの超高速伝送速度による通信、及び、ＬＴＥシステムに対する後方互換性（バックワードコンパチビリティー：Backward Compatibility）を同時に実現するために、ＬＴＥ−Ａシステム向けの帯域が、ＬＴＥシステムのサポート帯域幅である２０ＭＨｚ以下の「単位バンド」に区切られる。すなわち、「単位バンド」は、ここでは、最大２０ＭＨｚの幅を持つ帯域であって、通信帯域の基本単位として定義される。さらに、下り回線における「単位バンド」（以下、「下り単位バンド」という）は基地局から報知されるＢＣＨの中の下り周波数帯域情報によって区切られた帯域、又は、下り制御チャネル（ＰＤＣＣＨ）が周波数領域に分散配置される場合の分散幅によって定義される帯域として定義されることもある。また、上り回線における「単位バンド」（以下、「上り単位バンド」という）は、基地局から報知されるＢＣＨの中の上り周波数帯域情報によって区切られた帯域、又は、中心付近にＰＵＳＣＨ（Physical Uplink Shared CHannel）領域を含み、両端部にＬＴＥ向けのＰＵＣＣＨを含む２０ＭＨｚ以下の通信帯域の基本単位として定義されることもある。また、「単位バンド」は、３ＧＰＰ  ＬＴＥ−Ａｄｖａｎｃｅｄにおいて、英語でＣｏｍｐｏｎｅｎｔ  Ｃａｒｒｉｅｒ（ｓ）と表記されることがあり、物理セル番号とキャリア周波数番号で定義されてもよく、セルと呼ばれることもある。【００１４】
そして、ＬＴＥ−Ａシステムでは、その単位バンドを幾つか束ねた帯域を用いた通信、所謂Carrier aggregationがサポートされる。そして、一般的に上りに対するスループット要求と下りに対するスループット要求とは異なるので、ＬＴＥ−Ａシステムでは、任意のＬＴＥ−Ａシステム対応の端末（以下、「ＬＴＥ−Ａ端末」という）に対して設定される単位バンドの数が上りと下りで異なるCarrier aggregation、所謂Asymmetric Carrier aggregationも検討されている。さらに、上りと下りで単位バンド数が非対称であり、且つ、各単位バンドの周波数帯域幅がそれぞれ異なる場合も、サポートされる。【００１５】
図２は、個別の端末に適用される非対称のCarrier aggregation及びその制御シーケンスの説明に供する図である。図２には、基地局の上りと下りの帯域幅及び単位バンド数が対称である例が示されている。【００１６】
図２Ｂにおいて、端末１に対しては、２つの下り単位バンドと左側の１つの上り単位バンドを用いてCarrier aggregationを行うような設定（Configuration）が為される一方、端末２に対しては、端末１と同一の２つの下り単位バンドを用いるような設定が為されるにも拘らず、上り通信では右側の上り単位バンドを利用するような設定が為される。【００１７】
そして、端末１に着目すると、ＬＴＥ−Ａシステムを構成するＬＴＥ−Ａ基地局とＬＴＥ−Ａ端末との間では、図２Ａに示すシーケンス図に従って、信号の送受信が行われる。図２Ａに示すように、（１）端末１は、基地局との通信開始時に、左側の下り単位バンドと同期を取り、左側の下り単位バンドとペアになっている上り単位バンドの情報をＳＩＢ２（System Information Block Type 2）と呼ばれる報知信号から読み取る。（２）端末１は、この上り単位バンドを用いて、例えば、接続要求を基地局に送信することによって基地局との通信を開始する。（３）端末に対し複数の下り単位バンドを割り当てる必要があると判断した場合には、基地局は、端末に下り単位バンドの追加を指示する。ただし、この場合、上り単位バンド数は増えず、個別の端末である端末１において非対称Carrier aggregationが開始される。【００１８】
また、前述のCarrier aggregationが適用されるＬＴＥ−Ａシステムでは、端末が一度に複数の下り単位バンドにおいて複数の下り回線データを受信することがある。ＬＴＥ−Ａシステムでは、この複数の下り回線データに対する複数の応答信号の送信方法の１つとして、ＰＵＣＣＨにおける応答信号の拡散率を低減させる手法（所謂、SF（Spreading Factor）reduction）が検討されている。【００１９】
具体的には、図３に示すように、端末側では２つの応答信号（Symbol1及びSymbol2）が生成され、２つの応答信号は系列長２のウォルシュ符号系列（Ｗ０，０，Ｗ０，１）及び（Ｗ１，０，Ｗ１，１）によってそれぞれ拡散されて、第１，２のＳＣ−ＦＤＭＡシンボル及び第６，７のＳＣ−ＦＤＭＡシンボルにそれぞれ配置される。こうすることで、端末が複数の下り回線データを複数の下り単位バンドにおいて一度に受信した場合であっても、端末は、複数の下り回線データに対する複数の応答信号を一度に基地局へフィードバックすることができる。
【先行技術文献】
【非特許文献】
【００２０】
【非特許文献１】3GPP TS 36.211 V8.7.0, “Physical Channels and Modulation （Release 8）,” May 2009
【非特許文献２】3GPP TS 36.212 V8.7.0, “Multiplexing and channel coding （Release 8）,” May 2009
【非特許文献３】3GPP TS 36.213 V8.7.0, “Physical layer procedures （Release 8）,” May 2009
【非特許文献４】Seigo Nakao, Tomofumi Takata, Daichi Imamura, and Katsuhiko Hiramatsu, “Performance enhancement of E-UTRA uplink control channel in fast fading environments,” Proceeding of IEEE VTC 2009 spring, April. 2009
【発明の概要】
【発明が解決しようとする課題】
【００２１】
ところで、端末に設定される単位バンド数の変更（追加並びに削除）は、上位レイヤのシグナリング（例えば、RRC signaling）を用いて基地局から端末に対して行われる。基地局から端末に対して単位バンド数の変更を行う際のシグナリングのシーケンスの説明に供する図を図４に示す。【００２２】
図４は、端末（UE）がCarrier aggregation無し（下り単位バンド数：１）で通信を行っている場合に、基地局（eNB）がRRC signalingを用いて端末にCarrier aggregation（下り単位バンド数：２）を設定する場合の例を示す。図４に示すように、基地局側のＲＲＣ（Radio Resource Controller）は、まず、端末に設定する下り単位バンド数を２つ（Downlink Component carrier（DL CC）＝２）とするメッセージ“CC reconfiguration message”を生成する。そして、基地局側で生成された“CC reconfiguration message”を含む下り回線データ（DL data）が下り回線データリソース（レイヤ１（L1））に載せられて、端末に転送される。【００２３】
端末側のＲＲＣは、“CC reconfiguration message”を受信すると、自端末にCarrier aggregationが設定された（下り単位バンド（DL CC）数が１つから２つに変更された）と認識し、２つの下り単位バンドで基地局からのデータを受信する動作（つまり、Carrier aggregationによる通信）を開始する。また、端末側のＲＲＣは、基地局から受信した“CC reconfiguration message”に対する応答メッセージである“CC reconfiguration complete message”を生成する。この“CC reconfiguration complete message”は、基地局から別途割り当てられる上り回線データリソースに載せられて基地局に返される。例えば、図４に示すように、端末は、端末側から送信すべき上り回線データ（応答メッセージ）の発生を示すためのＳＲＩ（Scheduling Request Indicator）を送信し、基地局は、ＳＲＩの受信後、ＰＤＣＣＨを用いて上り回線データリソースの割当（UL grant）を端末へ通知する。そして、基地局は、端末からの“CC reconfiguration complete message”を受信すると、端末側でのCarrier aggregationの設定（下り単位バンド（DL CC）数の変更）が完了したと認識し、２つの下り単位バンドでデータを送信する動作（つまり、Carrier aggregationによる通信）を開始する。【００２４】
図４に示すように、端末側では基地局からの“CC reconfiguration message”を受信すると、再設定（変更）された下り単位バンド数に基づく通信を開始する。これに対し、基地局側では端末からの“CC reconfiguration complete message”を受信すると、再設定（変更）された下り単位バンド数に基づく通信を開始する。すなわち、基地局から端末に対して下り単位バンド数の変更が行われる際、端末に設定されている下り単位バンド数の設定に関する認識違いが基地局と端末との間で発生している期間が存在する。なお、図４に示すように、基地局（eNB）がRRC signalingを用いてCarrier aggregation無しからCarrier aggregation有りの設定を行う場合に限らず、Carrier aggregation有りからCarrier aggregation無しの設定を行う場合にも、前述した「下り単位バンド数の設定に関する認識違い」が発生する期間は存在する。【００２５】
更に、端末から送信される“CC reconfiguration complete message”が基地局に速やかに到達しない場合には、前述した「下り単位バンド数の設定に関する認識違い」が継続する期間はより長くなる。例えば、基地局側のスケジューリングの都合で端末に対して上り回線データリソースを割り当てられない状態が長く続く場合、又は、上り回線の伝搬路状況が劣悪であり、上り回線データの再送が多く発生した場合には、“CC reconfiguration complete message”の伝送遅延がより長くなる。この場合、基地局と端末との間における「下り単位バンド数の設定に関する認識違い」が長期間継続する。【００２６】
このような基地局と端末との間における下り単位バンド数の設定に関する認識違いは、端末に設定された下り単位バンド数に応じて下り回線データに対する応答信号の送信手法を切り替える場合に大きな問題となる。例えば、端末において、前述のCarrier aggregation無しの場合の応答信号送信手法（図１）と、前述のSF Reductionによる応答信号送信手法（図３）とを切り替える場合を想定する。端末に設定されている下り単位バンド数の設定に関する認識違いが基地局と端末との間で発生している期間では、基地局側で図１（又は図３）に示す応答信号送信手法によって送信される応答信号を待っているにもかかわらず、端末側が図３（又は図１）に示す応答信号送信手法によって応答信号を送信するという状況が発生する。このため、端末に設定されている下り単位バンド数の設定に関する認識違いが基地局と端末との間で発生している期間では、基地局側で上り応答信号の受信を正常に行えなくなるという問題が発生する。【００２７】
本発明の目的は、基地局が上位レイヤシグナリングを用いて、端末に対するCarrier aggregationの設定を切り替える場合に、端末に設定された下り単位バンド数の設定に関する認識違いが基地局と端末との間で発生している期間でも、端末から基地局へ上り応答信号を正常に伝達できる端末装置及び応答信号送信方法を提供することである。
【課題を解決するための手段】
【００２８】
本発明の第１の態様に係る端末装置は、基本単位バンドを含む複数の単位バンドを用いた基地局装置との第１の通信又は前記基本単位バンドのみを用いた前記基地局装置との第２の通信において、少なくとも一つの前記単位バンドの制御チャネルで送信された割当制御情報とデータチャネルで送信されたデータと、を受信する受信部と、前記第２の通信の場合、前記基本単位バンドの前記データの受信成否を示す１つの応答信号を生成し、前記第１の通信の場合、前記複数の単位バンドのそれぞれの前記割当制御情報及び前記データの受信成否を示す２つの応答信号を生成する生成部と、前記第２の通信の場合、第１の系列を前記１つの応答信号に乗算し、前記第１の通信の場合、前記第１の系列を分割した第２の系列及び第３の系列を、前記２つの応答信号にそれぞれ乗算する系列乗算部と、を具備し、前記割当制御情報及び前記データの受信成否は、前記応答信号の位相点で示され、前記第２の通信において、前記基本単位バンドに対する前記受信成否を示す前記１つの応答信号の位相点と、前記第１の通信において、前記第２の通信における前記基本単位バンドに対する前記受信成否と同じ、前記基本単位バンドに対する前記受信成否と、前記基本単位バンド以外の単位バンドで前記割当制御情報を受信しなかった状態である前記受信成否を示す前記２つの応答信号のそれぞれの位相点と、が同一である構成を採る。【００２９】
本発明の第２の態様に係る応答信号送信方法は、基本単位バンドを含む複数の単位バンドを用いた基地局装置との第１の通信又は前記基本単位バンドのみを用いた前記基地局装置との第２の通信において、少なくとも一つの前記単位バンドの制御チャネルで送信された割当制御情報と、データチャネルで送信されたデータと、を受信し、前記第２の通信の場合、前記基本単位バンドの前記データの受信成否を示す１つの応答信号を生成し、前記第１の通信の場合、前記複数の単位バンドのそれぞれの前記割当制御情報及び前記データの受信成否を示す２つの応答信号を生成し、前記第２の通信の場合、第１の系列を前記１つの応答信号に乗算し、前記第１の通信の場合、前記第１の系列を分割した第２の系列及び第３の系列を、前記２つの応答信号にそれぞれ乗算し、前記割当制御情報及び前記データの受信成否は、前記応答信号の位相点で示され、前記第２の通信において、前記基本単位バンドに対する前記受信成否を示す前記１つの応答信号の位相点と、前記第１の通信において、前記第２の通信における前記基本単位バンドに対する前記受信成否と同じ、前記基本単位バンドに対する前記受信成否と、前記基本単位バンド以外の単位バンドで前記割当制御情報を受信しなかった状態である前記受信成否を示す前記２つの応答信号のそれぞれの位相点と、が同一である。
【発明の効果】
【００３０】
本発明によれば、基地局が上位レイヤシグナリングを用いて、端末に対するCarrier aggregationの設定を切り替える場合に、端末に設定された下り単位バンド数の設定に関する認識違いが基地局と端末との間で発生している期間でも、端末から基地局へ上り応答信号を正常に伝達できる。
【図面の簡単な説明】
【００３１】
【図１】応答信号及び参照信号の拡散方法を示す図
【図２】個別の端末に適用される非対称のCarrier aggregation及びその制御シーケンスの説明に供する図
【図３】SF Reductionを用いた応答信号及び参照信号の拡散方法を示す図
【図４】基地局から端末に対して単位バンドの変更が行われる際のシグナリングのシーケンス図
【図５】本発明の実施の形態に係る基地局の構成を示すブロック図
【図６】本発明の実施の形態に係る端末の構成を示すブロック図
【図７】本発明の実施の形態に係る下りＣＣ数と応答信号の位相点との対応付けを示す図（応答信号生成例１）
【図８Ａ】本発明の実施の形態に係る下りＣＣ数と応答信号の位相点との対応付けを示す図（応答信号生成例２）
【図８Ｂ】本発明の実施の形態に係る下りＣＣ数と応答信号の位相点との対応付けを示す図（応答信号生成例２）
【図９Ａ】本発明の実施の形態に係る下りＣＣ数と応答信号の位相点との対応付けを示す図（応答信号生成例３）
【図９Ｂ】本発明の実施の形態に係る下りＣＣ数と応答信号の位相点との対応付けを示す図（応答信号生成例３）
【発明を実施するための形態】
【００３２】
以下、本発明の実施の形態について図面を参照して詳細に説明する。なお、実施の形態において、同一の構成要素には同一の符号を付し、その説明は重複するので省略する。
【００３３】
［通信システムの概要］
後述する基地局１００（図５）及び端末２００（図６）を含む通信システムでは、上り単位バンド及び上り単位バンドと対応付けられた複数の下り単位バンドを使用した通信、つまり、端末２００独自の非対称Carrier aggregationによる通信が行われる。また、この通信システムには、端末２００と異なり、Carrier aggregationによる通信を行う能力が無く、１つの下り単位バンドとこれに対応付けられた１つの上り単位バンドによる通信（つまり、Carrier aggregationによらない通信）を行う端末も含まれている。従って、基地局１００は、非対称Carrier aggregationによる通信及びCarrier aggregationによらない通信の両方をサポートできるように構成されている。
【００３４】
また、基地局１００と端末２００との間でも、基地局１００による端末２００に対するリソース割当によっては、Carrier aggregationによらない通信が行われることも可能である。
【００３５】
また、この通信システムでは、Carrier aggregationによらない通信が行われる場合には、従来通りのＡＲＱが行われる一方、Carrier aggregationによる通信が行われる場合には、ＡＲＱにおいてSF Reductionが採用される。すなわち、この通信システムは、例えば、ＬＴＥ−Ａシステムであり、基地局１００は、例えば、ＬＴＥ−Ａ基地局であり、端末２００は、例えば、ＬＴＥ−Ａ端末である。また、Carrier aggregationによる通信を行う能力の無い端末は、例えば、ＬＴＥ端末である。
【００３６】
以下では、次の事項を前提として説明する。すなわち、予め基地局１００と端末２００の間で、端末２００独自の非対称Carrier aggregationが構成されており、端末２００が用いるべき下り単位バンド及び上り単位バンドの情報が、基地局１００と端末２００との間で共有されている。また、基地局１００は、端末２００に設定した複数の下り単位バンドのうちのいずれか１つを基本単位バンド（Primary Component Carrier：PCC）として決定しており、この基本単位バンドに関する情報（基本単位バンド情報）も、基地局１００と端末２００との間で共有されている。
【００３７】
ただし、基地局１００は、端末２００に対して常に全ての下り単位バンドを用いて信号を送信するとは限らない。なお、基地局１００は、端末２００に対して１つの下り単位バンドのみを用いて信号を送信する際には、前述の基本単位バンドを優先して用いる。ここで、前述（図４）したように、基地局１００は、上位レイヤシグナリングを用いて、端末２００に対するCarrier aggregationの設定を切り替える。つまり、端末２００は、基本単位バンドを含む複数の下り単位バンドを用いた基地局１００との通信（Carrier aggregationによる通信）と、１つの下り単位バンド（基本単位バンド）のみを用いた基地局１００との通信（Carrier aggregationによらない通信）とが切り替え可能な端末である。
【００３８】
［基地局の構成］
図５は、本発明の実施の形態に係る基地局１００の構成を示すブロック図である。図５において、基地局１００は、制御部１０１と、制御情報生成部１０２と、符号化部１０３と、変調部１０４と、符号化部１０５と、データ送信制御部１０６と、変調部１０７と、マッピング部１０８と、ＩＦＦＴ部１０９と、ＣＰ付加部１１０と、無線送信部１１１と、無線受信部１１２と、ＣＰ除去部１１３と、ＰＵＣＣＨ抽出部１１４と、逆拡散部１１５と、系列制御部１１６と、相関処理部１１７と、判定部１１８と、再送制御信号生成部１１９とを有する。
【００３９】
制御部１０１は、リソース割当対象端末２００に対して、制御情報を送信するための下りリソース（つまり、下り制御情報割当リソース）、及び、当該制御情報に含まれる、下り回線データを送信するための下りリソース（つまり、下りデータ割当リソース）を割り当てる（Assignする）。このリソース割当は、リソース割当対象端末２００に設定される（configureされる）単位バンドグループに含まれる下り単位バンドにおいて行われる。また、下り制御情報割当リソースは、各下り単位バンドにおける下り制御チャネル（ＰＤＣＣＨ）に対応するリソース内で選択される。また、下りデータ割当リソースは、各下り単位バンドにおける下りデータチャネル（ＰＤＳＣＨ）に対応するリソース内で選択される。また、リソース割当対象端末２００が複数有る場合には、制御部１０１は、リソース割当対象端末２００のそれぞれに異なるリソースを割り当てる。
【００４０】
下り制御情報割当リソースは、上記したＬ１／Ｌ２ＣＣＨと同等である。すなわち、下り制御情報割当リソースは、１つ又は複数のＣＣＥから構成される。また、基本単位バンドにおける各ＣＣＥは、単位バンドグループ内の上り単位バンドにおける上り制御チャネル領域（ＰＵＣＣＨ領域）の構成リソースと１対１に対応づけられている。
【００４１】
また、制御部１０１は、リソース割当対象端末２００に対して制御情報を送信する際に用いる符号化率を決定する。この符号化率に応じて制御情報のデータ量が異なるので、このデータ量の制御情報をマッピング可能な数のＣＣＥを持つ下り制御情報割当リソースが、制御部１０１によって割り当てられる。
【００４２】
そして、制御部１０１は、制御情報生成部１０２に対して、下りデータ割当リソースに関する情報を出力する。また、制御部１０１は、符号化部１０３に対して、符号化率に関する情報を出力する。また、制御部１０１は送信データ（つまり、下り回線データ）の符号化率を決定し、符号化部１０５に出力する。また、制御部１０１は、下りデータ割当リソース及び下り制御情報割当リソースに関する情報をマッピング部１０８に対して出力する。ただし、制御部１０１は下りデータと当該下りデータに対する下り制御情報を同一の下り単位バンドにマッピングするよう制御する。
【００４３】
制御情報生成部１０２は、下りデータ割当リソースに関する情報を含む制御情報を生成して符号化部１０３へ出力する。この制御情報は下り単位バンドごとに生成される。また、リソース割当対象端末２００が複数有る場合に、リソース割当対象端末２００同士を区別するために、制御情報には、宛先端末の端末ＩＤが含まれる。例えば、宛先端末の端末ＩＤでマスキングされたＣＲＣビットが制御情報に含まれる。この制御情報は、「下り割当制御情報」と呼ばれることがある。
【００４４】
符号化部１０３は、制御部１０１から受け取る符号化率に従って、制御情報を符号化し、符号化された制御情報を変調部１０４へ出力する。
【００４５】
変調部１０４は、符号化後の制御情報を変調し、得られた変調信号をマッピング部１０８へ出力する。
【００４６】
符号化部１０５は、宛先端末２００ごとの送信データ（つまり、下り回線データ）及び制御部１０１からの符号化率情報を入力として送信データを符号化し、データ送信制御部１０６に出力する。ただし、宛先端末２００に対して複数の下り単位バンドが割り当てられる場合には、各下り単位バンドで送信される送信データをそれぞれ符号化し、符号化後の送信データをデータ送信制御部１０６へ出力する。
【００４７】
データ送信制御部１０６は、初回送信時には、符号化後の送信データを保持するとともに変調部１０７へ出力する。符号化後の送信データは、宛先端末２００ごとに保持される。また、１つの宛先端末２００への送信データは、送信される下り単位バンドごとに保持される。これにより、宛先端末２００に送信されるデータ全体の再送制御だけでなく、下り単位バンドごとの再送制御も可能になる。
【００４８】
また、データ送信制御部１０６は、再送制御信号生成部１１９から或る下り単位バンドで送信した下りデータに対するＮＡＣＫ又はＤＴＸを受け取ると、この下り単位バンドに対応する保持データを変調部１０７へ出力する。データ送信制御部１０６は、再送制御信号生成部１１９から或る下り単位バンドで送信した下りデータに対するＡＣＫを受け取ると、この下り単位バンドに対応する保持データを削除する。
【００４９】
変調部１０７は、データ送信制御部１０６から受け取る符号化後の送信データを変調し、変調信号をマッピング部１０８へ出力する。
【００５０】
マッピング部１０８は、制御部１０１から受け取る下り制御情報割当リソースの示すリソースに、変調部１０４から受け取る制御情報の変調信号をマッピングし、ＩＦＦＴ部１０９へ出力する。
【００５１】
また、マッピング部１０８は、制御部１０１から受け取る下りデータ割当リソースの示すリソースに、変調部１０７から受け取る送信データの変調信号をマッピングし、ＩＦＦＴ部１０９へ出力する。
【００５２】
マッピング部１０８にて複数の下り単位バンドにおける複数のサブキャリアにマッピングされた制御情報及び送信データは、ＩＦＦＴ部１０９で周波数領域信号から時間領域信号に変換され、ＣＰ付加部１１０にてＣＰが付加されてＯＦＤＭ信号とされた後に、無線送信部１１１にてＤ／Ａ変換、増幅及びアップコンバート等の送信処理が施され、アンテナを介して端末２００へ送信される。
【００５３】
無線受信部１１２は、端末２００から送信された応答信号又は参照信号をアンテナを介して受信し、応答信号又は参照信号に対しダウンコンバート、Ａ／Ｄ変換等の受信処理を行う。
【００５４】
ＣＰ除去部１１３は、受信処理後の応答信号又は参照信号に付加されているＣＰを除去する。
【００５５】
ＰＵＣＣＨ抽出部１１４は、受信信号から、ＰＵＣＣＨ領域に含まれる上り制御チャネル信号を抽出し、抽出した信号を逆拡散部１１５に出力する。この上り制御チャネル信号には、端末２００から送信された応答信号及び参照信号が含まれている可能性がある。ここで、ＰＵＣＣＨ領域は、ＰＵＣＣＨリソースの固まりとして定義される。
【００５６】
逆拡散部１１５は、端末２００がそれぞれのＰＵＣＣＨ領域で２次拡散に用いるべき直交符号系列で応答信号に相当する部分の信号を逆拡散し、逆拡散後の信号を相関処理部１１７に出力する。また、逆拡散部１１５は、端末２００がそれぞれの上り単位バンドにおいて参照信号の拡散に用いるべき直交符号系列で参照信号に相当する部分の信号を逆拡散し、逆拡散後の信号を相関処理部１１７に出力する。ただし、逆拡散部１１５は、処理対象の端末２００にCarrier aggregationが設定されている場合には、系列長２のウォルシュ符号系列を２つ設定し、処理対象の端末２００にCarrier aggregationが設定されていない場合には、系列長４のウォルシュ符号系列を１つ設定する。逆拡散部１１５における逆拡散処理の詳細については後述する。
【００５７】
系列制御部１１６は、端末２００から送信される応答信号及び参照信号の拡散に用いられる可能性があるＺＡＣ系列を生成する。また、系列制御部１１６は、端末２００が用いる可能性のある符号リソース（例えば、循環シフト量）に基づいて、端末２００からの信号成分が含まれるべき相関窓を特定する。そして、系列制御部１１６は、特定した相関窓を示す情報及び生成したＺＡＣ系列を相関処理部１１７に出力する。
【００５８】
相関処理部１１７は、系列制御部１１６から入力される相関窓を示す情報及びＺＡＣ系列を用いて、逆拡散部１１５から入力される信号と、端末２００において１次拡散に用いられる可能性のあるＺＡＣ系列との相関値を求めて判定部１１８に出力する。
【００５９】
判定部１１８は、相関処理部１１７から入力される相関値に基づいて、端末から送信された応答信号が、それぞれの下り単位バンドで送信されたデータに対してＡＣＫ又はＮＡＣＫのいずれかを示しているか、もしくはＤＴＸであるかを判定する。すなわち、判定部１１８は、相関処理部１１７から入力される相関値の大きさがある閾値以下であれば、端末２００は当該リソースを用いてＡＣＫもＮＡＣＫも送信していないと判断し、相関値の大きさが閾値以上であれば、更に当該応答信号がどの位相点を示しているかを同期検波によって判定する。そして、判定部１１８は、各ＰＵＣＣＨ領域における判定結果を再送制御信号生成部１１９へ出力する。
【００６０】
再送制御信号生成部１１９は、判定部１１８から入力される情報に基づいて、各下り単位バンドで送信したデータを再送すべきか否かを判定し、判定結果に基づいて再送制御信号を生成する。
【００６１】
［端末の構成］
図６は、本発明の実施の形態に係る端末２００の構成を示すブロック図である。図６において、端末２００は、無線受信部２０１と、ＣＰ除去部２０２と、ＦＦＴ部２０３と、抽出部２０４と、復調部２０５と、復号部２０６と、判定部２０７と、制御部２０８と、復調部２０９と、復号部２１０と、ＣＲＣ部２１１と、応答信号生成部２１２と、変調部２１３と、１次拡散部２１４と、２次拡散部２１５と、ＩＦＦＴ部２１６と、ＣＰ付加部２１７と、無線送信部２１８とを有する。
【００６２】
無線受信部２０１は、基地局１００から送信されたＯＦＤＭ信号をアンテナを介して受信し、受信ＯＦＤＭ信号に対しダウンコンバート、Ａ／Ｄ変換等の受信処理を行う。
【００６３】
ＣＰ除去部２０２は、受信処理後のＯＦＤＭ信号に付加されているＣＰを除去する。
【００６４】
ＦＦＴ部２０３は、受信ＯＦＤＭ信号をＦＦＴして周波数領域信号に変換し、得られた受信信号を抽出部２０４へ出力する。
【００６５】
抽出部２０４は、入力される、制御情報の符号化率情報に従って、ＦＦＴ部２０３から受け取る受信信号から下り制御チャネル信号（ＰＤＣＣＨ信号）を抽出する。すなわち、符号化率に応じて下り制御情報割当リソースを構成するＣＣＥの数が変わるので、抽出部２０４は、その符号化率に対応する個数のＣＣＥを抽出単位として、下り制御チャネル信号を抽出する。また、下り制御チャネル信号は、下り単位バンドごとに抽出される。抽出された下り制御チャネル信号は、復調部２０５へ出力される。
【００６６】
また、抽出部２０４は、判定部２０７から受け取る自装置宛の下りデータ割当リソースに関する情報に基づいて、受信信号から下り回線データを抽出し、復調部２０９へ出力する。
【００６７】
復調部２０５は、抽出部２０４から受け取る下り制御チャネル信号を復調し、得られた復調結果を復号部２０６に出力する。
【００６８】
復号部２０６は、入力される符号化率情報に従って、復調部２０５から受け取る復調結果を復号して、得られた復号結果を判定部２０７に出力する。
【００６９】
判定部２０７は、復号部２０６から受け取る復号結果に含まれる制御情報が自装置宛の制御情報であるか否かをブラインド判定する。この判定は、上記した抽出単位に対応する復号結果を単位として行われる。例えば、判定部２０７は、自装置の端末ＩＤでＣＲＣビットをデマスキングし、ＣＲＣ＝ＯＫ（誤り無し）となった制御情報を自装置宛の制御情報であると判定する。そして、判定部２０７は、自装置宛の制御情報に含まれる、自装置に対する下りデータ割当リソースに関する情報を抽出部２０４へ出力する。
【００７０】
また、判定部２０７は、基本単位バンド（PCC）の下り制御チャネルにおいて、上記した自装置宛の制御情報がマッピングされていたＣＣＥを特定し、特定したＣＣＥの識別情報を制御部２０８へ出力する。
【００７１】
制御部２０８は、判定部２０７から受け取るＣＣＥ識別情報の示すＣＣＥに対応するＰＵＣＣＨリソース（周波数・符号）又は基地局１００から予め通知されているＰＵＣＣＨリソースを特定する。すなわち、制御部２０８は、ＣＣＥ識別情報又は予め通知されているリソース情報に基づいて、上り制御チャネル内のＰＵＣＣＨリソースを特定する。
【００７２】
そして、制御部２０８は、自端末がCarrier aggregationの動作を行っているか否かに基づいて、応答信号生成部２１２に生成を指示する応答信号の数、及び、２次拡散部２１５に設定するウォルシュ符号系列の系列長及び系列の数を決定する。また、制御部２０８は、ＣＲＣ部２１１から入力される、下り単位バンドにおける下り回線データの受信成否状況に基づいて、応答信号にいずれの位相点を設定するかを決定する。
【００７３】
そして、制御部２０８は、使用すべきＰＵＣＣＨリソースに対応するＺＡＣ系列を生成するとともに、ＰＵＣＣＨリソースに基づいて使用すべき循環シフト量を決定し、１次拡散部２１４へ出力する。
【００７４】
また、制御部２０８は、生成すべき応答信号の数及び設定すべき位相点に関する情報を応答信号生成部２１２へ出力し、周波数リソース情報をＩＦＦＴ部２１６に出力する。また、制御部２０８は、使用すべきＰＵＣＣＨリソースに対応する１つ又は２つのウォルシュ符号系列（すなわち、直交符号系列）を２次拡散部２１５へ出力する。制御部２０８による、ＰＵＣＣＨリソース及び位相点の制御の詳細については後述する。
【００７５】
復調部２０９は、抽出部２０４から受け取る下り回線データを復調し、復調後の下り回線データを復号部２１０へ出力する。
【００７６】
復号部２１０は、復調部２０９から受け取る下り回線データを復号し、復号後の下り回線データをＣＲＣ部２１１へ出力する。
【００７７】
以上のように、無線受信部２０１、ＣＰ除去部２０２、ＦＦＴ部２０３、抽出部２０４、復調部２０５、復号部２０６、復調部２０９及び復号部２１０は、各下り単位バンドの下り制御チャネルで送信された下り割当制御情報（ＰＤＣＣＨ信号）と、下り割当制御情報が示す下りデータチャネル（下りデータ割当リソース）で送信された下り回線データと、を受信する受信手段として機能する。
【００７８】
ＣＲＣ部２１１は、復号部２１０から受け取る復号後の下り回線データを生成し、ＣＲＣを用いて下り単位バンドごとに誤り検出し、ＣＲＣ＝ＯＫ（誤り無し）の場合にはＡＣＫを、ＣＲＣ＝ＮＧ（誤り有り）の場合にはＮＡＣＫを、制御部２０８へ出力する。また、ＣＲＣ部２１１は、ＣＲＣ＝ＯＫ（誤り無し）の場合には、復号後の下り回線データを受信データとして出力する。
【００７９】
応答信号生成部２１２は、制御部２０８から指示される応答信号の数及び位相点に基づいて、１つ又は２つの応答信号、及び、１つの参照信号を生成し、変調部２１３へ出力する。
【００８０】
変調部２１３は、応答信号生成部２１２から入力される応答信号を変調して１次拡散部２１４へ出力する。
【００８１】
１次拡散部２１４は、制御部２０８によって設定されたＺＡＣ系列及び循環シフト量に基づいて応答信号及び参照信号を１次拡散し、１次拡散後の応答信号及び参照信号を２次拡散部２１５へ出力する。すなわち、１次拡散部２１４は、制御部２０８からの指示に従って、応答信号及び参照信号に、循環シフト量に対応するＺＡＣ系列を乗算する。ここでは、１シンボルの応答信号がＺＡＣ系列と同じ系列長（例えば、１２）を持つ応答信号系列に変換される。
【００８２】
２次拡散部２１５は、制御部２０８によって設定された直交符号系列を用いて応答信号及び参照信号を２次拡散し、２次拡散後の信号をＩＦＦＴ部２１６へ出力する。つまり、２次拡散部２１５は、１次拡散後の応答信号及び参照信号に対し、制御部２０８で選択されたＰＵＣＣＨリソースに対応する直交符号系列を乗算し、拡散後の信号をＩＦＦＴ部２１６へ出力する。換言すれば、ＺＡＣ系列と同じ系列長（例えば、１２）を持つ応答信号系列を１つの固まりとして、それらに対し直交符号系列の各成分が乗算される。その結果、直交符号系列の系列長（例えば、２又は４）に等しい数の応答信号系列が生成される。ただし、２次拡散部２１５は、端末２００がCarrier aggregationの動作を行っていない場合には、１次拡散部２１４から入力される１つの応答信号を系列長４の直交符号系列で拡散し、端末２００がCarrier aggregationの動作を行っている場合には、１次拡散部２１４から入力される２つの応答信号を系列長２の直交符号系列でそれぞれ拡散する。なお、２次拡散部は「系列乗算部」と称されることもある。
【００８３】
ＣＰ付加部２１７は、ＩＦＦＴ後の信号の後尾部分と同じ信号をＣＰとしてその信号の先頭に付加する。
【００８４】
無線送信部２１８は、入力される信号に対しＤ／Ａ変換、増幅及びアップコンバート等の送信処理を行う。そして、無線送信部２１８は、アンテナから基地局１００へ信号を送信する。
【００８５】
［基地局１００及び端末２００の動作］
上述のように構成された基地局１００及び端末２００の動作について説明する。以下の説明では、端末２００は、下り割当制御情報及び下り回線データの受信成否（すなわち、送信すべき上り応答信号の発生状況）に応じて、ＰＵＣＣＨリソースを用いて基地局１００に信号を送信する。
【００８６】
［端末２００による応答］
判定部２０７は、自端末宛の制御情報（すなわち、下り割当制御情報）の検出状況（受信成否）を制御部２０８に通知する。また、ＣＲＣ部２１１は、各下り単位バンドにおける下り回線データの受信成否状況を制御部２０８に通知する。制御部２０８は、判定部２０７及びＣＲＣ部２１１から入力される情報（下り割当制御情報及び下り回線データの受信成否）に基づいて、１つ又は２つの応答信号を生成するように、応答信号生成部２１２に指示し、設定すべきウォルシュ符号系列の系列長を２次拡散部２１５に指示する。
【００８７】
［基地局１００における応答信号の受信］
逆拡散部１１５は、端末２００に設定した下り単位バンド数に応じて、系列長４又は系列長２のウォルシュ符号系列を用いて、受信した信号を逆拡散し、１つ又は２つの応答信号を抽出する。
【００８８】
次に、端末２００における応答信号生成例１〜３について説明する。
【００８９】
＜応答信号生成例１＞
図７は応答信号生成例１の説明に供する図である。図７に示すように、端末２００は、端末２００に設定された下り単位バンド数（下りＣＣ数）が１つであるか２つであるかに応じて、生成する応答信号（ACK/NACK symbol）の数及びウォルシュ符号系列の系列長を制御する。
【００９０】
［端末２００に設定された下りＣＣ数が１つの場合（図７Ａ）］
端末２００に設定された下りＣＣ数が１つである場合に、１つの下り割当制御情報を受信したときには、応答信号生成部２１２は、図７Ａに示すように、１つの応答信号（ACK/NACK symbol1）を生成する。
【００９１】
このとき、制御部２０８は、受信した下り割当制御情報に対応する下り回線データの受信成否（ＡＣＫ又はＮＡＣＫ）に基づいて、（−１，０）又は（１，０）のいずれかの位相点を応答信号に設定する。具体的には、図７Ａに示すように、ＮＡＣＫ（「Ｎ」）と、ACK/NACK symbol1の位相点（１，０）とが対応付けられ、ＡＣＫ（「Ａ」）と、ACK/NACK symbol1の位相点（−１，０）とが対応付けられる。
【００９２】
また、端末２００は、受信した下り割当制御情報が占有していたＣＣＥの番号に関連付けられたＰＵＣＣＨリソースを用いて、応答信号を送信する。具体的には、制御部２０８は、受信した下り割当制御情報が占有していたＣＣＥの番号に関連付けられたＰＵＣＣＨリソースに対応する系列長４のウォルシュ符号系列（例えば、図１に示すＷ０,Ｗ１,Ｗ２,Ｗ３）を応答信号（ACK/NACK symbol1）を、拡散する拡散符号として用いるよう決定する。
【００９３】
このように、制御部２０８は、１つの応答信号を生成するように応答信号生成部２１２に指示する一方、２次拡散部２１５に対して、ＰＵＣＣＨリソースに対応する、系列長４のウォルシュ符号系列を設定する。
【００９４】
よって、端末２００に設定された下りＣＣ数が１つの場合（例えばCarrier aggregationによらない通信を行う場合）、応答信号生成部２１２は、端末２００に設定された下り単位バンド（基本単位バンド）に対応する下り回線データの受信成否と、図７Ａに示す応答信号の位相点の設定ルールとに基づいて、１つの応答信号（ACK/NACK symbol1）を生成する。また、２次拡散部２１５は、図１に示すようにして、基本単位バンド（PCC）の下り制御チャネル（つまり、ＣＣＥ）に関連付けられたＰＵＣＣＨリソースとして定義される系列長４のウォルシュ符号系列を用いて、１つの応答信号（ACK/NACK symbol1）を拡散する。
【００９５】
［端末２００に設定された下りＣＣ数が２つの場合（図７Ｂ）］
端末２００に設定された下りＣＣ数が２つである場合に、基本単位バンド（ＰＣＣ）において下り割当制御情報を受信したときには、応答信号生成部２１２は、図７Ｂに示すように、２つの応答信号（ACK/NACK symbol1及びACK/NACK symbol2）を生成する。
【００９６】
このとき、制御部２０８は、下り割当制御情報及び当該下り割当制御情報に対応する下り回線データの受信成否（ＡＣＫ，ＮＡＣＫ又はＤＴＸ）に基づいて、（−１，０）、（１，０）、（０，ｊ）、（０，−ｊ）のうちいずれかの位相点を２つの応答信号にそれぞれ設定する。
【００９７】
つまり、制御部２０８は、端末２００宛ての下り割当制御情報及び当該下り割当制御情報に対応する下り回線データの受信成否（誤り検出結果）のパターン（状態）に基づいて、図７Ｂに示す応答信号の位相点の設定ルールを用いて、応答信号（ACK/NACK symbol1及びACK/NACK symbol2）の位相点を決定する。なお、図７Ｂに示す応答信号の位相点の設定ルールでは、下り割当制御情報及び当該下り割当制御情報に対応する下り回線データの受信成否のパターン候補と、応答信号の位相点とが対応付けられている。ただし、端末２００は、ＰＣＣにおいて下り割当制御情報を受信しなかった場合（すなわち、ＰＣＣ以外の下り単位バンド（Secondary Component Carrier：SCC）においてのみ下り割当制御情報を受信した場合、又は、下り割当制御情報を１つも受信しなかった場合）には、応答信号を生成しない。つまり、図７Ｂに示すように、制御部２０８は、「ＤＮ」及び「ＤＡ」については位相点を決定しない。
【００９８】
例えば、図７Ｂにおいて、パターン候補「ＮＡ」は、端末２００がＰＣＣ及びＳＣＣの双方で下り割当制御情報を受信したが、ＰＣＣで送信された下り回線データの復号に失敗（ＮＡＣＫ）し、ＳＣＣで送信された下り回線データの復号に成功（ＡＣＫ）した状態を示す。また、図７Ｂでは、「ＮＡ」と、ACK/NACK symbol1の位相点（０，−ｊ）及びACK/NACK symbol2の位相点（０，−ｊ）とが対応付けられている。同様に、例えば、図７Ｂにおいて、パターン候補「ＡＤ」は、端末２００がＰＣＣで下り割当制御情報及び下り回線データの受信（復号）に成功（ＡＣＫ）したが、ＳＣＣで下り割当制御情報を受信しなかった状態（ＤＴＸ）を示す。また、図７Ｂでは、「ＡＤ」と、ACK/NACK symbol1の位相点（−１，０）及びACK/NACK symbol2の位相点（−１，０）とが対応付けられている。同様にして、図７Ｂに示す、下り割当制御情報及び下り回線データの受信成否のその他のパターン候補と、応答信号の位相点とがそれぞれ対応付けられている。
【００９９】
また、端末２００は、ＰＣＣにおいて受信した下り割当制御情報が占有していたＣＣＥの番号に関連付けられたＰＵＣＣＨリソースを用いて、応答信号を送信する。例えば、制御部２０８は、ＰＣＣにおいて受信した下り割当制御情報が占有していたＣＣＥの番号に関連付けられたＰＵＣＣＨリソースに対応する系列長４のウォルシュ符号系列（例えば、図１に示すＷ０,Ｗ１,Ｗ２,Ｗ３）のうち、前半２つの成分（つまり、系列長２）を第１の応答信号（ACK/NACK symbol1）を拡散する拡散符号（例えば、図３に示すＷ０，０,Ｗ０，１）として用い、後半２つの成分（つまり、系列長２）を第２の応答信号（ACK/NACK symbol2）を拡散する拡散符号（例えば、図３に示すＷ１，０,Ｗ１，１）として用いるよう決定する。すなわち、図３において、ACK/NACK symbol1の拡散に用いる拡散符号（Ｗ０，０,Ｗ０，１）及びACK/NACK symbol2の拡散に用いる拡散符号（Ｗ１，０,Ｗ１，１）のそれぞれは、図１においてACK/NACK symbol1の拡散に用いるウォルシュ符号系列（Ｗ０,Ｗ１,Ｗ２,Ｗ３）を分割して得られる部分系列となる。具体的には、図１及び図３では、Ｗ０，０＝Ｗ０、Ｗ０，１＝Ｗ１、Ｗ１，０＝Ｗ２、Ｗ１，１＝Ｗ３の関係となる。
【０１００】
このように、端末２００に設定された下りＣＣ数が２つの場合、制御部２０８は、２つの応答信号を生成するように応答信号生成部２１２に指示する。また、制御部２０８は、２次拡散部２１５に対して、「ＰＣＣにおいて受信した下り割当制御情報が占有していたＣＣＥの番号」に関連付けられたＰＵＣＣＨリソースに対応する系列長４のウォルシュ符号系列から、前半２つの成分及び後半２つの成分を取り出して、系列長２の２つのウォルシュ符号系列を設定する。
【０１０１】
つまり、端末２００に設定された下りＣＣ数が２つの場合（例えばCarrier aggregationによる通信を行う場合）、応答信号生成部２１２は、端末２００に設定された複数の下り単位バンドにそれぞれ対応する、下り割当制御情報及び下り回線データの受信成否と、図７Ｂに示す応答信号の位相点の設定ルールとに基づいて、２つの応答信号（ACK/NACK symbol1及びACK/NACK symbol2）を生成する。また、２次拡散部２１５は、図３に示すようにして、系列長２の２つのウォルシュ符号系列（つまり、それぞれの系列長の合計が図１で用いるウォルシュ符号系列の系列長４となる２つのウォルシュ符号系列）で、２つの応答信号（ACK/NACK symbol1及びACK/NACK symbol2）をそれぞれ拡散する。
【０１０２】
次に、基地局１００と端末２００との間で「下りＣＣ数の設定に関する認識違い」が生じている期間について説明する。例えば、基地局１００が端末２００に設定されている下りＣＣ数を１つと認識し、端末２００が端末２００に設定されている下りＣＣ数を２つと認識している場合（例えば、図４に示す「下りＣＣ数の設定に関する認識違い」が生じている期間）について説明する。この「下りＣＣ数の設定に関する認識違い」が生じている期間では、端末２００は、２つの下り単位バンド（ＰＣＣ及びＳＣＣ）において下り割当制御情報の受信処理を行う。しかし、実際には、基地局１００は、１つの下り単位バンド（ＰＣＣ）のみで下り割当制御情報を送信するので、端末２００では、ＰＣＣ以外の下り単位バンド（ＳＣＣ）で下り割当制御情報を受信することは無い。よって、端末２００で判定されるべきＳＣＣにおける受信成否の状況はＤＴＸとなる。
【０１０３】
また、例えば、基地局１００が端末２００に設定されている下りＣＣ数を２つと認識し、端末２００が端末２００に設定されている下りＣＣ数を１つと認識している場合（図示せず）について説明する。この「下りＣＣ数の認識違い」が生じている期間では、基地局１００は、２つの下り単位バンド（ＰＣＣ及びＳＣＣ）で下り割当制御情報をそれぞれ送信する。しかし、端末２００は、１つの下り単位バンド（ＰＣＣ）のみでしか下り割当制御情報の受信処理を行わない。よって、この場合も、端末２００では、ＰＣＣ以外の下り単位バンド（ＳＣＣ）では下り割当制御情報を受信することは無い。よって、基地局１００で判定されるべき、端末２００でのＳＣＣにおける受信成否の状況はＤＴＸとなる。
【０１０４】
つまり、前述の「下りＣＣ数の設定に関する認識違い」（つまり、Carrier aggregationの有無の認識違い）が生じている場合には、ＳＣＣにおける応答信号は常にＤＴＸとなる。すなわち、「下りＣＣ数の設定に関する認識違い」が生じている場合には、Carrier aggregationによる通信時における、端末２００宛ての下り割当制御情報及び下り回線データの受信成否（誤り検出結果）のパターンは、「ＡＤ」又は「ＮＤ」のいずれかとなる。
【０１０５】
これに対して、注目すべき点は、応答信号生成例１における応答信号の位相点の設定ルールでは、Carrier aggregationによらない通信時（図７Ａ）における下り割当制御情報及び下り回線データの受信成否の任意のパターンに対応付けられた１つの応答信号（ACK/NACK symbol1）の位相点と、Carrier aggregationによる通信時（図７Ｂ）において、ＰＣＣでの受信成否のパターンがCarrier aggregationによらない通信時（図７Ａ）における上記任意のパターンと同一であって、ＰＣＣ以外のＳＣＣで下り割当制御情報を受信しなかった状態（ＤＴＸ）である候補パターンに対応けられた２つの応答信号（ACK/NACK symbol1及びACK/NACK symbol2）のそれぞれの位相点と、が同一に設定される点である。
【０１０６】
換言すると、下り割当制御情報及び下り回線データの受信成否は、応答信号の位相点で示され、Carrier aggregationによらない通信（図７Ａ）において、ＰＣＣに対する上記受信成否を示す１つの応答信号の位相点と、Carrier aggregationによる通信（図７Ｂ）において、Carrier aggregationによらない通信におけるＰＣＣに対する受信成否と同じ、ＰＣＣに対する受信成否と、ＰＣＣ以外の単位バンド（ＳＣＣ）で下り割当制御情報を受信しなかった状態（ＤＴＸ）である受信成否を示す２つの応答信号のそれぞれの位相点と、が同一となる。
【０１０７】
例えば、Carrier aggregationによらない通信時（図７Ａ）における任意のパターン「Ｎ」に対応付けられた１つの応答信号の位相点と、Carrier aggregationによる通信時（図７Ｂ）において、ＰＣＣでの受信成否のパターンがCarrier aggregationによらない通信時（図７Ａ）における上記任意のパターン（「Ｎ」）と同一であって、ＰＣＣ以外のＳＣＣで下り割当制御情報を受信しなかった状態（ＤＴＸ）である候補パターン（「ＮＤ」）に対応けられた２つの応答信号のそれぞれの位相点と、が同一の位相点（１，０）になる。図７Ａに示す「Ａ」と図７Ｂに示す「ＡＤ」との間についても同様にして、同一の位相点（−１，０）が設定される。
【０１０８】
更に、前述の通り、Carrier aggregationによる通信時（図３）において、ACK/NACK symbol1の拡散に用いる拡散符号（Ｗ０，０,Ｗ０，１）及びACK/NACK symbol2の拡散に用いる拡散符号（Ｗ１，０,Ｗ１，１）のそれぞれは、Carrier aggregationによらない通信時（図１）においてACK/NACK symbol1の拡散に用いるウォルシュ符号系列（Ｗ０,Ｗ１,Ｗ２,Ｗ３）を分割して得られる部分系列である。また、ここでは、図１及び図３のいずれにおいても、同一の巡回シフト量のＺＡＣ系列（Base sequence）で応答信号（ACK/NACK symbol1及びACK/NACK symbol2）が１次拡散されているとする。
【０１０９】
つまり、例えば、Carrier aggregationによらない通信時（図１及び図７Ａ）における「Ｎ」（又は「Ａ」）に対応する１つの応答信号と、Carrier aggregationによる通信時（図３及び図７Ｂ）における「ＮＤ」（又は「ＡＤ」）に対応する２つの応答信号とに対して、端末２００は、同一の、巡回シフト量、ウォルシュ符号系列及び位相点を用いて送信処理を行う。つまり、Carrier aggregationによらない通信時（図１及び図７Ａ）における「Ｎ」（又は「Ａ」）に対応するACK/NACK symbol1の送信波形と、Carrier aggregationによる通信時（図３及び図７Ｂ）における「ＮＤ」（又は「ＡＤ」）に対応するACK/NACK symbol1及びACK/NACK symbol2の送信波形と、は同一になる。
【０１１０】
そして、基地局１００は、端末２００に設定した下り単位バンド数に応じて、系列長４又は系列長２のウォルシュ符号系列を用いて、受信した信号を逆拡散し、１つ又は２つの応答信号を抽出する。
【０１１１】
例えば、基地局１００が端末２００に設定されている下りＣＣ数を２つ（Carrier aggregation有り）と認識し、端末２００が端末２００に設定されている下りＣＣ数を１つ（Carrier aggregation無し）と認識している場合（図示せず）について説明する。つまり、基地局１００は、ＰＣＣ及びＳＣＣの双方で下り割当制御情報及び下り回線データを送信し、端末２００は、ＰＣＣのみで下り割当制御情報及び下り回線データを受信する。また、端末２００がＰＣＣで受信した下り回線データの復号に成功したとする（ＰＣＣ：ＡＣＫ）。この場合、端末２００は、ＡＣＫ（「Ａ」）に対応する応答信号（図７ＡではACK/NACK symbol1の位相点（−１，０））を生成し、図１に示すように、系列長４（Ｗ０,Ｗ１,Ｗ２,Ｗ３）のウォルシュ符号系列を用いてACK/NACK symbol1を拡散する。そして、基地局１００は、拡散後のACK/NACK symbol1を基地局１００へフィードバックする。
【０１１２】
一方、基地局１００は、Carrier aggregation有りと認識しているので、端末２００で用いられた系列長４のウォルシュ符号系列を前半２つの成分及び後半２つの成分に分割した、系列長２（Ｗ０，０＝Ｗ０、Ｗ０，１＝Ｗ１）のウォルシュ符号系列及び系列長２（Ｗ１，０＝Ｗ２、Ｗ１，１＝Ｗ３）のウォルシュ符号系列を用いて、受信した応答信号（位相点（−１，０））に相当する部分の信号を逆拡散する。これにより、基地局１００は、図３に示すACK/NACK symbol1として位相点（−１，０）のシンボルを抽出し、図３に示すACK/NACK symbol2としても位相点（−１，０）のシンボルを抽出する。よって、基地局１００は、図７Ｂに従って、端末２００からの応答信号が「ＡＤ」、つまり、端末２００においてＰＣＣでは下り回線データの受信に成功（ＡＣＫ）し、ＳＣＣでは下り割当制御情報を受信しなかった（ＤＴＸ）状態であると判定する。よって、基地局１００は、ＰＣＣで送信した下り回線データの再送が不要であり、ＳＣＣで送信した下り回線データの再送が必要であると判断することができる。つまり、基地局１００は、ＰＣＣで実際に送信したデータを端末２００が受信していることを正常に判定することができる。
【０１１３】
このように、「下りＣＣ数の設定に関する認識違い」が生じている期間で基地局１００及び端末２００が判定し得る下り単位バンドにおける信号の受信成否「Ａ」及び「ＡＤ」（又は「Ｎ」と「ＮＤ」）に対応する応答信号が同一の送信波形で送信される。これにより、端末２００が図７Ａに示す「Ａ」（又は「Ｎ」）に対応する１つの応答信号を送信した場合でも、基地局１００は、図７Ｂに示す「ＡＤ」（「ＮＤ」）に対応する２つの応答信号を受信したと認識することができる。
【０１１４】
なお、基地局１００が端末２００にCarrier aggregationが設定されていないと認識し、端末２００が端末２００にCarrier aggregationが設定されていると認識している場合（図４）についても、同様にして、端末２００から基地局１００に対して上り応答信号が正常に伝達される。
【０１１５】
このように、応答信号生成例１によれば、端末２００に設定された下り単位バンド数の設定に関する認識違いが基地局１００と端末２００との間で発生している期間でも、各下り割当制御情報及び下り回線データに対する受信成否（応答信号）の認識違いは発生しない。つまり、端末２００に設定された下り単位バンド数の設定に関する認識違いが基地局１００と端末２００との間で発生している期間でも、端末２００から基地局１００に対して上り応答信号が正常に伝達される。
【０１１６】
＜応答信号生成例２＞
応答信号生成例２では、応答信号生成例１と異なり、端末２００が応答信号の送信に用いるべきＰＵＣＣＨリソースが基地局１００から予め通知されていることを前提とする。
【０１１７】
図８Ａ及び図８Ｂは応答信号生成例２の説明に供する図である。ただし、応答信号生成例２において、端末２００に設定された下りＣＣ数が１つである場合には、応答信号生成例１（図７Ａ）と同様の応答信号生成方法を用いる。
【０１１８】
端末２００は、端末２００に設定された下りＣＣ数が１つであるか２つ以上であるかに応じて、生成する応答信号（ACK/NACK symbol）の数及びウォルシュ符号系列の系列長を制御する。
【０１１９】
［端末２００に設定された下りＣＣ数が１つの場合（図７Ａ）］
端末２００に設定された下りＣＣ数が１つである場合に、１つの下り割当制御情報を受信したときには、応答信号生成部２１２は、応答信号生成例１（図７Ａ）と同様、１つの応答信号（ACK/NACK symbol1）を生成する。このとき、制御部２０８は、受信した下り割当制御情報に対応する下り回線データの受信成否（ＡＣＫ又はＮＡＣＫ）に基づいて、（−１，０）又は（１，０）のいずれかの位相点を応答信号に設定する。
【０１２０】
また、端末２００は、基地局１００から予め通知されているＰＵＣＣＨリソースを用いて、応答信号を送信する。具体的には、制御部２０８は、基地局１００から予め通知されているＰＵＣＣＨリソースに対応する系列長４のウォルシュ符号系列（例えば、図１に示すＷ０,Ｗ１,Ｗ２,Ｗ３）を、応答信号（ACK/NACK symbol1）を拡散する拡散符号として用いるよう決定する。
【０１２１】
このように、端末２００に設定された下りＣＣ数が１つの場合（例えばCarrier aggregationによらない通信を行う場合）、制御部２０８は、応答信号生成例１と同様、１つの応答信号を生成するように応答信号生成部２１２に指示する一方、２次拡散部２１５に対して、ＰＵＣＣＨリソースに対応する、系列長４のウォルシュ符号系列を設定する。
【０１２２】
［端末２００に設定された下りＣＣ数が２つ以上の場合（図８Ａ及び図８Ｂ）］
端末２００に設定された下りＣＣ数が２つである場合に、いずれかの下り単位バンドにおいて下り割当制御情報を１つでも受信したときには、応答信号生成部２１２は、図８Ａに示すように、２つの応答信号（ACK/NACK symbol1及びACK/NACK symbol2）を生成する。このとき、制御部２０８は、下り割当制御情報及び下り回線データの受信成否（ＡＣＫ，ＮＡＣＫ又はＤＴＸ）に基づいて、（−１，０）、（１，０）、（０，ｊ）、（０，−ｊ）のうちいずれかの位相点を２つの応答信号にそれぞれ設定する。
【０１２３】
また、端末２００に設定された下りＣＣ数が３つである場合に、いずれかの下り単位バンドにおいて下り割当制御情報を１つでも受信したときには、応答信号生成部２１２は、図８Ｂに示すように、２つの応答信号（ACK/NACK symbol1及びACK/NACK symbol2）を生成する。このとき、制御部２０８は、下り割当制御情報及び下り回線データの受信成否（ＡＣＫ，ＮＡＣＫ又はＤＴＸ）に基づいて、（−１，０）、（１，０）、（０，ｊ）、（０，−ｊ）のうちいずれかの位相点を２つの応答信号にそれぞれ設定する。
【０１２４】
例えば、図８Ｂにおいて、下り割当制御情報及び当該下り割当制御情報に対応する下り回線データの受信成否のパターン候補「ＮＡＤ」は、端末２００がＰＣＣで（下り割当制御情報を受信し、かつ、）送信された下り回線データの復号に失敗（ＮＡＣＫ）し、２つのＳＣＣのうち第１の下り単位バンドで（下り割当制御情報を受信し、かつ、）送信された下り回線データの復号に成功（ＡＣＫ）し、第２の下り単位バンドでは下り割当制御情報を受信しなかった状態（ＤＴＸ）を示す。また、図８Ｂでは、「ＮＡＤ」と、ACK/NACK symbol1の位相点（０，−ｊ）及びACK/NACK symbol2の位相点（０，−ｊ）とが対応付けられている。同様に、図８Ｂにおいて、パターン候補「ＡＤＤ」は、端末２００がＰＣＣで（下り割当制御情報を受信し、かつ、）送信された下り回線データの復号に成功（ＡＣＫ）し、２つのＳＣＣの双方で下り割当制御情報を受信しなかった状態（ＤＴＸ）を示す。また、図８Ｂでは、「ＡＤＤ」と、ACK/NACK symbol1の位相点（−１，０）及びACK/NACK symbol2の位相点（−１，０）とが対応付けられている。同様にして、図８Ｂに示す、下り割当制御情報及び下り回線データの受信成否のその他のパターン候補と、応答信号の位相点とがそれぞれ対応付けられている。
【０１２５】
つまり、制御部２０８は、端末２００宛ての下り割当制御情報及び下り回線データの受信成否（誤り検出結果）のパターン（状態）に基づいて、図８Ａ又は図８Ｂに示す応答信号の位相点の設定ルールを用いて、応答信号（ACK/NACK symbol1及びACK/NACK symbol2）の位相点を決定する。
【０１２６】
また、端末２００は、基地局１００から予め通知されているＰＵＣＣＨリソースを用いて、応答信号を送信する。例えば、制御部２０８は、基地局１００から予め通知されているＰＵＣＣＨリソースに対応する系列長４のウォルシュ符号系列（例えば、図１に示すＷ０,Ｗ１,Ｗ２,Ｗ３）のうち、前半２つの成分（系列長２）を第１の応答信号（ACK/NACK symbol1）を拡散する拡散符号（例えば、図３に示すＷ０，０,Ｗ０，１）として用い、後半２つの成分（系列長２）を第２の応答信号（ACK/NACK symbol2）を拡散する拡散符号（例えば、図３に示すＷ１，０,Ｗ１，１）として用いるよう決定する。
【０１２７】
このように、端末２００に設定された下りＣＣ数が２つ以上の場合（例えばCarrier aggregationによる通信を行う場合）、応答信号生成例１と同様、制御部２０８は、２つの応答信号を生成するように応答信号生成部２１２に指示する。また、制御部２０８は、２次拡散部２１５に対して、基地局１００から予め通知されているＰＵＣＣＨリソースに対応する系列長４のウォルシュ符号系列から、前半２つの成分及び後半２つの成分を取り出して、系列長２の２つのウォルシュ符号系列を設定する。
【０１２８】
ここで、応答信号生成例１と同様、Carrier aggregationによらない通信時（図７Ａ）における下り割当制御情報及び下り回線データの受信成否の任意のパターンに対応付けられた１つの応答信号（ACK/NACK symbol1）の位相点と、Carrier aggregationによる通信時（図８Ａ及び図８Ｂ）において、ＰＣＣでの受信成否のパターンがCarrier aggregationによらない通信時（図７Ａ）における上記任意のパターンと同一であって、ＰＣＣ以外の全てのＳＣＣで下り割当制御情報を受信しなかった状態（ＤＴＸ）である候補パターンに対応けられた２つの応答信号（ACK/NACK symbol1及びACK/NACK symbol2）のそれぞれの位相点と、が同一に設定される。
【０１２９】
例えば、Carrier aggregationによらない通信時（図７Ａ）における任意のパターン「Ｎ」に対応付けられた１つの応答信号の位相点と、Carrier aggregationによる通信時（図８Ａ及び図８Ｂ）において、ＰＣＣでの受信成否のパターンがCarrier aggregationによらない通信時（図７Ａ）における上記任意のパターン（「Ｎ」）と同一であって、ＰＣＣ以外の全てのＳＣＣで下り割当制御情報を受信しなかった状態（ＤＴＸ）である候補パターン（図８Ａに示す「ＮＤ」及び図８Ｂに示す「ＮＤＤ」）に対応けられた２つの応答信号のそれぞれの位相点と、が同一の位相点（１，０）になる。図７Ａに示す「Ａ」と、図８Ａに示す「ＡＤ」及び図８Ｂに示す「ＡＤＤ」との間についても同様にして、同一の位相点（−１，０）が設定される。
【０１３０】
また、応答信号生成例１と同様、Carrier aggregationによる通信時（図３）において、ACK/NACK symbol1の拡散に用いる拡散符号（Ｗ０，０,Ｗ０，１）及びACK/NACK symbol2の拡散に用いる拡散符号（Ｗ１，０,Ｗ１，１）のそれぞれは、Carrier aggregationによらない通信時（図１）においてACK/NACK symbol1の拡散に用いるウォルシュ符号系列（Ｗ０,Ｗ１,Ｗ２,Ｗ３）を分割して得られる部分系列となる。
【０１３１】
つまり、応答信号生成例１と同様、Carrier aggregationによらない通信時（図１及び図７Ａ）における「Ｎ」（又は「Ａ」）に対応するACK/NACK symbol1の送信波形と、Carrier aggregationによる通信時（図３、図８Ａ及び図８Ｂ）における「ＮＤ」、「ＮＤＤ」（又は「ＡＤ」、「ＡＤＤ」）に対応するACK/NACK symbol1及びACK/NACK symbol2の送信波形と、は同一になる。
【０１３２】
これにより、応答信号生成例１と同様、「下りＣＣ数の設定に関する認識違い」が生じている期間でも、基地局１００と端末２００との間で「応答信号の認識違い」が生じることを防ぐことができる。つまり、端末２００に設定された下り単位バンド数の設定に関する認識違いが基地局１００と端末２００との間で発生している期間でも、端末２００から基地局１００に対して上り応答信号が正常に伝達される。
【０１３３】
更に、応答信号生成例２における応答信号の位相点の設定ルールでは、Ｍ（ただしＭは２以上の自然数。図８Ａでは２つ）の下り単位バンドを用いるCarrier aggregationによる通信時における、下り割当制御情報及び下り回線データの受信成否の任意のパターンに対応付けられた２つの応答信号の位相点のペアと、Ｍより大きいＮ（ただしＮは自然数。図８Ｂでは３つ）の下り単位バンドを用いるCarrier aggregationによる通信時において、Carrier aggregationによらない通信時のＭ個（図８Ａでは２つ）の下り単位バンドと同一の下り単位バンドでの上記受信成否のパターンが上記任意のパターンと同一であって、Ｍ個（図８Ａでは２つ）の下り単位バンド以外の（Ｎ−Ｍ）個（図８Ａ及び図８Ｂでは１つ）の全ての下り単位バンドで下り割当制御情報を受信しなかった状態（ＤＴＸ）である候補パターンに対応付けられた２つの応答信号の位相点のペアと、が同一に設定される。
【０１３４】
ここで、端末２００に２つの下り単位バンドが設定された場合（図８Ａ）における下り割当制御情報及び下り回線データの受信成否を「ＸＸ」（Ｘは図８Ａに示す「Ａ」,「Ｎ」,「Ｄ」のいずれか）と表す。この場合、端末２００に２つの下り単位バンドが設定された場合（図８Ａ）における「ＸＸ」に対応する２つの応答信号の位相点のペアと、端末２００に３つの下り単位バンドが設定された場合（図８Ｂ）における下り割当制御情報及び下り回線データの受信成否「ＸＸＤ」に対応する２つの応答信号の位相点のペアと、が同一となる。例えば、図８Ａに示すパターン候補「ＮＮ」（つまり、上記ＸＸ＝ＮＮ）に対応付けられた２つの応答信号の位相点のペアと、図８Ｂに示すパターン候補「ＮＮＤ」に対応付けられた２つの応答信号の位相点のペアと、が同一の位相点（１，０）及び位相点（−１，０）のペアとなる。図８Ａに示す「ＮＮ」以外のその他のパターン候補についても同様である。
【０１３５】
よって、応答信号生成例２では、Carrier aggregationによる通信時において端末２００に設定される下りＣＣ数が変更する場合に、「下りＣＣ数の設定に関する認識違い」が基地局１００と端末２００との間で生じている期間でも、基地局１００と端末２００との間で「応答信号の認識違い」が生じることを防ぐことができる。
【０１３６】
このように、応答信号生成例２によれば、応答信号生成例１と同様、Carrier aggregationの有無の設定時における「下りＣＣ数の設定に関する認識違い」が発生している期間でも、各下り割当制御情報及び下り回線データに対する受信成否（応答信号）の認識違いは発生しない。更に、応答信号生成例２によれば、Carrier aggregationによる通信の際の下りＣＣ数の変更時における「下りＣＣ数の設定に関する認識違い」が発生している期間でも、各下り割当制御情報及び下り回線データに対する受信成否（応答信号）の認識違いは発生しない。よって、Carrier aggregationの有無の設定時及びCarrier aggregationによる通信の際の下りＣＣ数の変更時のいずれにおいて「下りＣＣ数の設定に関する認識違い」が発生している期間でも、端末２００から基地局１００に対して上り応答信号が正常に伝達される。
【０１３７】
＜応答信号生成例３＞
応答信号生成例３では、応答信号生成例２と同様、端末２００が応答信号の送信に用いるべきＰＵＣＣＨリソースが基地局１００から予め通知されていることを前提とする。また、応答信号生成例３では、基地局１００が例えば空間分割多重（ＳＤＭ：Space Division Multiplexing）によって、１つの下り単位バンド内で２つの下り回線データを端末２００に送信する点が、応答信号生成例１及び２と相違する。
【０１３８】
すなわち、基地局１００は、１つの下り単位バンドにおいて２つの下り回線データをＳＤＭによって送信する。ただし、同一の下り単位バンドで送信される２つの下り回線データ（ＳＤＭペアとなる２つの下り回線データ）は、同一の下り割当制御情報によって割当が通知される。すなわち、１つの下り割当制御情報が２つの下り回線データ（ただし、同一下り単位バンド内の２つの下り回線データ）に対応する。
【０１３９】
図９Ａ及び図９Ｂは応答信号生成例３の説明に供する図である。図９Ａ及び図９Ｂに示すように、端末２００は、端末２００に設定された下りＣＣ数が１つであるか２つであるかに応じて、生成する応答信号（ACK/NACK symbol）の数及びウォルシュ符号系列の系列長を制御する。
【０１４０】
［端末２００に設定された下りＣＣ数が１つの場合（図９Ａ）］
端末２００に設定された下りＣＣ数が１つである場合に、１つの下り割当制御情報を受信したときには、応答信号生成部２１２は、図９Ａに示すように、１つの応答信号（ACK/NACK symbol1）を生成する。
【０１４１】
このとき、制御部２０８は、受信した下り割当制御情報に対応する２つの下り回線データの受信成否（ＡＣＫ又はＮＡＣＫ）に基づいて、（−１，０）、（１，０）、（０，ｊ）、（０，−ｊ）のうちいずれかの位相点を応答信号に設定する。例えば、図９Ａにおいて、下り回線データの受信成否のパターン候補「ＮＮ」は、（下り割当制御情報を受信し、かつ、）同一の下り単位バンドで送信された２つの下り回線データの復号に双方とも失敗した状態を示し、ACK/NACK symbol1の位相点（１，０）に対応付けられている。同様に、図９Ａにおいて、パターン候補「ＡＮ」は、（下り割当制御情報を受信し、かつ、）同一の下り単位バンドで送信された２つの下り回線データのうち、第１の下り回線データの復号には成功（ＡＣＫ）したが、第２の下り回線データの復号には失敗（ＮＡＣＫ）した状態を示し、ACK/NACK symbol1の位相点（０，ｊ）に対応付けられている。図９Ａに示すパターン候補「ＡＡ」及び「ＮＡ」についても同様である。
【０１４２】
また、前述の通り、下り割当制御情報は、ＳＤＭペアである２つの下り回線データに対して共通で送信されるので、端末２００側で下り割当制御情報を受信しなかった場合には、下り回線データの受信成否状況は必ず「ＤＤ」（すなわち、第１、第２の下り回線データの双方に対応する下り割当制御情報を受信しなかった状態）となる。
【０１４３】
また、端末２００は、応答信号生成例２と同様、基地局１００から予め通知されているＰＵＣＣＨリソースを用いて、応答信号を送信する。具体的には、制御部２０８は、基地局１００から予め通知されているＰＵＣＣＨリソースに対応する系列長４のウォルシュ符号系列（例えば、図１に示すＷ０,Ｗ１,Ｗ２,Ｗ３）を、応答信号（ACK/NACK symbol1）を拡散する拡散符号として用いるよう決定する。
【０１４４】
このように、端末２００に設定された下りＣＣ数が１つの場合（例えばCarrier aggregationによらない通信を行う場合）、制御部２０８は、１つの応答信号を生成するように応答信号生成部２１２に指示する一方、２次拡散部２１５に対して、ＰＵＣＣＨリソースに対応する、系列長４のウォルシュ符号系列を設定する。
【０１４５】
［端末２００に設定された下りＣＣ数が２つの場合（図９Ｂ）］
端末２００に設定された下りＣＣ数が２つである場合に、いずれかの下り単位バンドにおいて下り割当制御情報を１つでも受信したときには、応答信号生成部２１２は、図９Ｂに示すように、２つの応答信号（ACK/NACK symbol1及びACK/NACK symbol2）を生成する。このとき、制御部２０８は、下り割当制御情報及び下り回線データの受信成否（ＡＣＫ，ＮＡＣＫ又はＤＴＸ）に基づいて、（−１，０）、（１，０）、（０，ｊ）、（０，−ｊ）のうちいずれかの位相点を２つの応答信号にそれぞれ設定する。
【０１４６】
例えば、図９Ｂにおいて、下り割当制御情報及び当該下り割当制御情報に対応する下り回線データの受信成否のパターン候補「ＮＡＡＡ」は、端末２００が２つの下り単位バンド（ＰＣＣ及びＳＣＣ）の双方で下り割当制御情報を受信し、第１の下り単位バンド（例えばＰＣＣ）では第１の下り回線データの復号に失敗（ＮＡＣＫ）し、第２の下り回線データの復号に成功（ＡＣＫ）し、第２の下り単位バンド（例えばＳＣＣ）では第１の下り回線データ及び第２の下り回線データの双方の復号に成功（ＡＣＫ）した状態を示す。また、図９Ｂでは、「ＮＡＡＡ」と、ACK/NACK symbol1の位相点（０，−ｊ）及びACK/NACK symbol2の位相点（０，ｊ）とが対応付けられている。
【０１４７】
同様に、例えば、図９Ｂにおいて、パターン候補「ＡＡＤＤ」は、端末２００に設定された２つの下り単位バンドのうち、端末２００が第１の下り単位バンド（例えばＰＣＣ）で下り割当制御情報を受信し、第１の下り回線データ及び第２の下り回線データの双方の復号に成功（ＡＣＫ）し、第２の下り単位バンド（例えばＳＣＣ）で下り割当制御情報を受信しなかった状態を示す。また、図９Ｂでは、「ＡＡＤＤ」と、ACK/NACK symbol1の位相点（−１，０）及びACK/NACK symbol2の位相点（−１，０）とが対応付けられている。
【０１４８】
同様にして、図９Ｂに示す、下り割当制御情報及び下り回線データの受信成否のその他のパターン候補と、２つの応答信号の位相点とがそれぞれ対応付けられている。ただし、前述の通り、ＳＤＭペアとなる２つの下り回線データは、同一の下り割当制御情報によって割当通知されるので、ＳＤＭペアとなる２つの下り回線データの一方のみがＤＴＸとなる状況は発生しない。
【０１４９】
このように、制御部２０８は、端末２００宛ての下り割当制御情報及び下り回線データの受信成否（誤り検出結果）のパターン（状態）に基づいて、図９Ｂに示す応答信号の位相点の設定ルールを用いて、応答信号（ACK/NACK symbol1及びACK/NACK symbol2）の位相点を決定する。
【０１５０】
また、端末２００は、基地局１００から予め通知されているＰＵＣＣＨリソースに対応するウォルシュ符号系列を用いて、応答信号を送信する。例えば、制御部２０８は、基地局１００から予め通知されているＰＵＣＣＨリソースに対応する系列長４のウォルシュ符号系列（例えば、図１に示すＷ０,Ｗ１,Ｗ２,Ｗ３）のうち、前半２つの成分（系列長２）を第１の応答信号（ACK/NACK symbol1）を拡散する拡散符号（例えば、図３に示すＷ０，０,Ｗ０，１）として用い、後半２つの成分（系列長２）を第２の応答信号（ACK/NACK symbol2）を拡散する拡散符号（例えば、図３に示すＷ１，０,Ｗ１，１）として用いるよう決定する。
【０１５１】
このように、端末２００に設定された下りＣＣ数が２つの場合（例えばCarrier aggregationによる通信を行う場合）、制御部２０８は、２つの応答信号を生成するように応答信号生成部２１２に指示する。また、制御部２０８は、２次拡散部２１５に対して、基地局１００から予め通知されているＰＵＣＣＨリソースに対応する系列長４のウォルシュ符号系列から、前半２つの成分及び後半２つの成分を取り出して、系列長２の２つのウォルシュ符号系列を設定する。
【０１５２】
ここで、応答信号生成例１と同様、Carrier aggregationによらない通信時（図９Ａ）における下り割当制御情報及び下り回線データの受信成否の任意のパターンに対応付けられた１つの応答信号（ACK/NACK symbol1）の位相点と、Carrier aggregationによる通信時（図９Ｂ）において、ＰＣＣでの受信成否のパターンがCarrier aggregationによらない通信時（図９Ａ）における上記任意のパターンと同一であって、ＰＣＣ以外のＳＣＣで下り割当制御情報を受信しなかった状態（ＤＴＸ）である候補パターンに対応けられた２つの応答信号（ACK/NACK symbol1及びACK/NACK symbol2）のそれぞれの位相点と、が同一に設定される。
【０１５３】
例えば、図９Ｂにおいて、図９Ａに示す「ＮＮ」に対応付けられた応答信号（ACK/NACK symbol1）の位相点と、「ＮＮＤＤ」（ＰＣＣでは「ＮＮ」、ＳＣＣでは「ＤＤ」）に対応付けられた２つの応答信号（ACK/NACK symbol1及びACK/NACK symbol2）のそれぞれ位相点と、が同一の位相点（１，０）となる。図９Ｂに示す「ＮＡＤＤ」，「ＡＡＤＤ」又は「ＡＮＤＤ」と、図９Ａに示す「ＮＡ」，「ＡＡ」又は「ＡＮ」とについても同様である。
【０１５４】
また、応答信号生成例１と同様、Carrier aggregationによる通信時（図３）において、ACK/NACK symbol1の拡散に用いる拡散符号（Ｗ０，０,Ｗ０，１）及びACK/NACK symbol2の拡散に用いる拡散符号（Ｗ１，０,Ｗ１，１）のそれぞれは、Carrier aggregationによらない通信時（図１）においてACK/NACK symbol1の拡散に用いるウォルシュ符号系列（Ｗ０,Ｗ１,Ｗ２,Ｗ３）を分割して得られる部分系列となる。
【０１５５】
つまり、応答信号生成例１と同様、Carrier aggregationによらない通信時（図１及び図９Ａ）における「ＮＮ」（又は「ＮＡ」，「ＡＡ」，「ＡＮ」）に対応するACK/NACK symbol1の送信波形と、Carrier aggregationによる通信時（図３及び図９Ｂ）における「ＮＮＤＤ」（又は「ＮＡＤＤ」，「ＡＡＤＤ」，「ＡＮＤＤ」）に対応するACK/NACK symbol1及びACK/NACK symbol2の送信波形と、は同一になる。
【０１５６】
これにより、応答信号生成例１と同様、「下りＣＣ数の設定に関する認識違い」が生じている期間でも、基地局１００と端末２００との間で「応答信号の認識違い」が生じることを防ぐことができる。つまり、下り回線においてＳＤＭが適用される場合（１つの下り単位バンドにおいて２つの下り回線データをＳＤＭによって送信する場合）において、端末２００に設定された下り単位バンド数の設定に関する認識違いが基地局１００と端末２００との間で発生している期間でも、端末２００から基地局１００に対して上り応答信号が正常に伝達される。
【０１５７】
以上、端末２００における応答信号生成例１〜３について説明した。
【０１５８】
こうすることで、基地局が上位レイヤシグナリングを用いて、端末に対するCarrier aggregationの設定を切り替える場合に、端末に設定された下り単位バンド数の設定に関する認識違いが基地局と端末との間で発生している期間でも、端末から基地局へ上り応答信号を正常に伝達できる。
【０１５９】
以上、本発明の実施の形態について説明した。
【０１６０】
なお、上記実施の形態では、端末側で認識された１つのＰＵＣＣＨリソースに関連付けて、２つのACK/NACK symbolを送信する場合について説明した。しかし、端末側で複数のＰＵＣＣＨリソースを認識し、更に、いずれのＰＵＣＣＨリソースに関連付けて２つのACK/NACK symbolを送信するかという、「リソースの選択状況」によって追加の情報を基地局に伝達してもよい。すなわち、上記実施の形態は、所謂Channel selection（Resource selection）と併用することが可能である。
【０１６１】
また、上記実施の形態では、ＰＵＣＣＨリソースにおける１次拡散にＺＡＣ系列を用い、２次拡散に直交符号系列としてウォルシュ系列とＤＦＴ系列の組を用いる場合について説明した。しかし、本発明では、１次拡散には、ＺＡＣ系列以外の、互いに異なる循環シフト量により互いに分離可能な系列を用いてもよい。例えば、ＧＣＬ（Generalized Chirp like）系列、ＣＡＺＡＣ（Constant Amplitude Zero Auto Correlation）系列、ＺＣ（Zadoff-Chu）系列、Ｍ系列及び直交ゴールド符号系列等のＰＮ系列、又は、コンピュータによってランダムに生成された時間軸上での自己相関特性が急峻な系列等を１次拡散に用いてもよい。また、２次拡散には、互いに直交する系列、又は、互いにほぼ直交すると見なせる系列であればいかなる系列を直交符号系列として用いてもよい。以上の説明では、ＺＡＣ系列の循環シフト量と直交符号系列の系列番号とによって応答信号のリソース（例えば、ＰＵＣＣＨリソース）が定義されている。
【０１６２】
また、上記実施の形態では、基地局１００の制御部１０１は、下り回線データと当該下り回線データに対する下り割当制御情報とを同一の下り単位バンドにマッピングするよう制御するとしたが、これに限定されない。すなわち、下り回線データと当該下り回線データに対する下り割当制御情報とが別の下り単位バンドにマッピングされていても、下り割当制御情報と下り回線データとの対応関係が明確であれば、実施の形態で説明した技術を適用できる。
【０１６３】
また、本実施の形態では、端末側の処理の順番として、１次拡散、２次拡散の後に、ＩＦＦＴ変換を行う場合について説明した。しかし、これらの処理の順番はこれに限定されない。１次拡散処理の後段にＩＦＦＴ処理がある限り、２次拡散処理の場所はどこにあっても等価な結果が得られる。
【０１６４】
また、上記実施の形態ではアンテナとして説明したが、本発明はアンテナポート（antenna port）でも同様に適用できる。
【０１６５】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１６６】
例えば3GPP LTEにおいては、アンテナポートが何本の物理アンテナから構成されるかは規定されず、基地局が異なる参照信号（Reference signal）を送信できる最小単位として規定されている。
【０１６７】
また、アンテナポートはプリコーディングベクトル（Precoding vector）の重み付けを乗算する最小単位として規定されることもある。
【０１６８】
また、上記実施の形態では、本発明をハードウェアで構成する場合を例にとって説明したが、本発明はハードウェアとの連携においてソフトウェアでも実現することも可能である。
【０１６９】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１７０】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１７１】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１７２】
２０１０年５月１９日出願の特願２０１０−１１５４６８の日本出願に含まれる明細書、図面および要約書の開示内容は、すべて本願に援用される。
【産業上の利用可能性】
【０１７３】
本発明は、移動体通信システム等に適用することができる。
【符号の説明】
【０１７４】
１００  基地局
１０１，２０８  制御部
１０２  制御情報生成部
１０３，１０５  符号化部
１０４，１０７，２１３  変調部
１０６  データ送信制御部
１０８  マッピング部
１０９，２１６  ＩＦＦＴ部
１１０，２１７  ＣＰ付加部
１１１，２１８  無線送信部
１１２，２０１  無線受信部
１１３，２０２  ＣＰ除去部
１１４  ＰＵＣＣＨ抽出部
１１５  逆拡散部
１１６  系列制御部
１１７  相関処理部
１１８，２０７  判定部
１１９  再送制御信号生成部
２００  端末
２０３  ＦＦＴ部
２０４  抽出部
２０５，２０９  復調部
２０６，２１０  復号部
２１１  ＣＲＣ部
２１２  応答信号生成部
２１４  １次拡散部
２１５  ２次拡散部
【図１】
0005552161.tif 000002
【図２】
0005552161.tif 000003
【図３】
0005552161.tif 000004
【図４】
0005552161.tif 000005
【図５】
0005552161.tif 000006
【図６】
0005552161.tif 000007
【図７】
0005552161.tif 000008
【図８Ａ】
0005552161.tif 000009
【図８Ｂ】
0005552161.tif 000010
【図９Ａ】
0005552161.tif 000011
【図９Ｂ】
0005552161.tif 000012